(57)【特許請求の範囲】
【請求項１】
被剖検体・患者用の処置台において、対向する長辺部に長辺部上面と垂直方向の内面部を長辺部縁端に接し又は近接して立設し、対向する内面部に長辺部と同じ長さの吸込スリットを形成し、吸込スリットに連通するプリーナムボックスを配設するとともにプリーナムボックスに気体集合チャンバーとの連絡口を形成し、プリーナムボックスの断面積を連絡口に近づくにつれ漸次大きくし、吸込スリットでの気体吸込速度を全体的に均一化した処置台上で発生する有害物の捕集・除去装置。
【請求項２】
プリーナムボックスの底部は最下方部に開口する連絡口に向け下降する傾斜面を備えた請求項１に記載の処置台上で発生する有害物の捕集・除去装置。
【請求項３】
プリーナムボックス内において吸込スリットと連絡口の間に複数の分割板を配置して吸込スリットと連絡口を連通する複数の気体流通路を設け、複数の気体流通路を介して有害物の含有気体が流通する請求項１又は２に記載の処置台上で発生する請求項１又は２に記載の処置台上で発生する有害物の捕集・除去装置。
【請求項４】
プリーナムボックスの長手方向に並行して配設された気体捕集板をプリーナムボックスの上面部に回動可能に軸着し、気体捕集板の処置台側への傾斜角度を気体捕集板の回動角度により設定した請求項１、２又は３に記載の処置台上で発生する有害物の捕集・除去装置。
【請求項５】
プリーナムボックスの背面側に密着された背面部を開閉させる請求項１、２、３又は４に記載の処置台上で発生する有害物の捕集・除去装置。
【請求項６】
前記プリーナムボックスは上下方向の高さ調整手段を備えた請求項１、２、３、４又は５に記載の処置台上で発生する有害物の捕集・除去装置。
【請求項７】
処置台下方に有害物除去部を設け、プリーナムボックスと有害物除去部とを連結し、プリーナムボックスから搬送される有害物の含有気体を有害物除去部で除去処理するとともに処理後の気体を室内に放出する請求項１、２、３、４、５叉は６に記載の処置台上で発生する有害物の捕集・除去装置。
【発明の詳細な説明】
【発明の詳細な説明】
【技術分野】
【０００１】本発明は解剖台、手術台上で発生して空気中に拡散する有害物の捕集・除去装置に関する。
【背景技術】
【０００２】解剖や手術の際、解剖台、手術台で発生して空気中に拡散するホルムアルデヒドなどの有害物に作業者が暴露される危険があり、作業者の健康管理の観点から問題がある。このような作業環境の改善策として、プッシュ・プル型換気による有害ガス暴露防止装置がある（特開２００６−２８８７３０）。この有害ガス暴露防止装置は解剖台の短辺側に配置された吹き出し機構（プッシュ・フード）と排気機構（プル・フード）を有し、吹き出し機構から吹出する一様気流を吸引排気機構で吸引し、発生源から生ずる有毒ガスを一様気流とともに排気するものである。しかし吹き出し機構から吹き出される一様気流は被剖検体面に触れて乱れを生じ、作業者（解剖者）は有害物（アセトアルデヒドなど）の含有空気に曝露されるおそれがある。また解剖実習では通常、複数（４乃至６人程度）の実習生が解剖台周辺に配置されるが、作業中、解剖台上方に位置する実習生の手、腕などが妨害物となり一様気流が乱れて実習生が有害物の含有空気に曝露され、あるいは有害物が解剖室内に拡散するおそれがある。【０００３】次に解剖台４周内側に形成された吸気開口に吸込ボックスの吸気口を臨ませ、ダクトで吸込ボックスの排気側を集合吸気ボックスの吸気側に接続した有害物（ホルムアルデヒドガス）の排気システム（特開２００６−７５５９２）がある。しかしこのような構造では吸気口面における有害物の捕捉速度の均一化が困難である。【０００４】またスリットからなる吸引口部を有する吸引カバー７を設け、吸引口部は吸引ダクトの吸引部から遠いほど大にした解剖台がある（特開２００１−６１９０９）。しかしながらこの解剖台では吸引口部が上方へ開口するとともに、吸引口部および吸引カバーの構造も異なり、本発明の具備する機能を果たすことはできない。
【特許文献１】特開２００１−６１９０９
【特許文献２】特開２００３−１１６８５９
【特許文献３】特開２００６−２８８７３０
【特許文献４】特開２００６−７５５５９２
【特許文献５】特開２００７−２５２４５３
【発明の開示】
【発明が解決しようとする課題】
【０００５】本発明が解決しようとする課題は、被剖検体などの発生源から発生する種々の有毒物質を含有する気体（「有毒物質の含有気体」という）を確実に吸引し、作業者の暴露や室内への拡散を防止するとともに、関連作業の遂行が容易である有害物の捕集・除去装置を提供することにある。
【課題を解決するための手段】
【０００６】上記課題を解決するため、本発明の処置台上で発生する有害物の捕集・除去装置は、
被剖検体・患者用の処置台において、対向する長辺部に長辺部上面と垂直方向の内面部を長辺部縁端に接し又は近接して立設し、対向する内面部に長辺部と同じ長さの吸込スリットを形成し、吸込スリットに連通するプリーナムボックスを配設するとともにプリーナムボックスに気体集合チャンバーとの連絡口を形成し、プリーナムボックスの断面積を連絡口に近づくにつれ漸次大きくし吸込スリットでの気体吸込速度を全体的に均一化した。【０００７】また前記プリーナムボックス内に吸込スリットと連絡口の間に複数の分割板を配置して吸込スリットと連絡口を連通する複数の気体流通路を設け、複数の気体流通路を介して有害物の含有気体が流通する。【０００８】またプリーナムボックスの長手方向に並行して配設された気体捕集板をプリーナムボックスの上面部に回動可能に軸着し、気体捕集板の処置台側への傾斜角度を気体捕集板の回動角度により設定した。
【発明の効果】
【０００９】本発明では吸込スリットでの気体吸込速度を全体的に均一化したから、有害物の含有気体を効率よく吸込むことができる。また処置台周縁だけでなく中央部上方にある有害物の含有気体を吸込み、有害物の含有気体による暴露、有害物の含有気体の拡散を確実に防止することができる。また処置台上面で発生する有害物質の発生状況に対応し、プリーナムボックスの上面部に配設した気体捕集板で有害物の含有気体を捕集し、効果的に吸込むことができる。
【発明を実施するための最良の形態】
【００１０】以下本発明の実施の形態を添付図面に基づいて説明する。本発明にかかる有害物の捕集・除去装置Ａは被剖検体・患者Ｂが配置される処置台１を備える。すなわち処置台１は、解剖では被剖検体Ｂが配置される解剖台部であり、手術では患者Ｂが配置される手術台部である。処置台１は一対の長辺部３と短辺部４を有し、長辺部３には長手方向に内面部５が設けてある。対向する内面部５は互に内側、つまり処置台１側へ面しており、吸込スリット６を有する。吸込スリット６の長さ（図２，３における左右方向の長さ）は長辺部３のそれとほぼ同じである。なお「ほぼ同じ」とは同一あるいはそれより若干短いものを含む。吸込スリット６の幅（図２，３における上下右方向の長さ）は同一であり、吸込スリット６の開口度はどの箇所でも基本的に同じである。また吸込スリット６は長辺部縁端の上面９からの高さ（長さ）も同じであり、長辺部縁端の上面９と平行している。そして内面部５は長辺部縁端の上面９に対してほぼ垂直方向に立設されている。「ほぼ垂直方向」とは内面部５が長辺部縁端の上面９に対して垂直な場合だけでなく若干傾斜する場合を含み、従って、内面部５が垂直方向より若干処置台の外側へ傾斜してもよい。【００１１】処置台１では被剖検体・患者の内外部における有毒物を発生源として種々の有毒物を含有する気体が発生する。すなわち解剖時に被剖検体から発生するホルムアルデヒドや保菌者（被剖検体）から発生する結核菌、エイズ菌を含有する気体、さらに有害物を吸引、溜飲した患者の嘔吐物に含まれる有害物ミストなどのである（以下「有毒物の含有気体」という）である。処置台１上で発生する有毒物質の含有気体は、内面部の吸込スリット６からプリーナムボックス７に吸込まれる。対向する内面部５は長辺部縁端９に当接しあるいは近接して配置するのが好ましい。これにより有毒物質の含有気体は吸込スリット６から効率よく吸込まれる。一般に吸込スリット６の幅が小さいと吸込スリットの気体吸込速度が大きく、内面部５から比較的離れたところの気体も吸込スリットでの吸込が可能となる。前記のように吸込スリット６の幅は同一であるが、吸込スリット６の開口度は適宜に選択できる。なお図示の場合、長辺部縁端２が処置台上面１０より突出しているが、長辺部縁端の上面９と処置台上面１０が面一（同一平面）であってもよい（以下同様）。【００１２】内面部５に形成された吸込スリット６と連通してプリーナムボックス（ｐｌｅｎｕｍ  ｂｏｘ）７が配設されている。プリーナムボックス７は気体（有毒物質の含有気体）の流通路１１を構成している。図１ではプリーナムボックス６を構成する内面部５に込スリット６を有するが、内面部をプリーナムボックスと別体としてもよい（図示せず）。吸込スリット６はプリーナムボックス７に連通し、プリーナムボックス７には連結口１５が開口している。連絡口１５は吸引ダクト１６を介して気体集合チャンバー３０に連結され、気体集合チャンバー３０は有害物除去部３１に連結されている。また有害物除去部３１の下流側にリミットロード、ブロワーなどの気体輸送装置３２が設けてある。そして気体輸送装置３２の駆動により、吸込スリット６から吸込まれた有害物の含有気体はプリーナム���ックス７を流通し、連結口１５から吸引ダクト１６を介して気体集合チャンバー３０に集合し、さらに有害物除去部３１へと搬送される。有害物除去部で有害物の除去処理がなされた気体は放出口３３から室内へ放出される。【００１３】プリーナムボックス７は断面積が連絡口１５に近づくにつれ漸次大きく形成してある。断面積とはプリーナムボックス７を断面線Ｓで切断した縦断面の大きさである（図２，３参照）。連絡口１５はプリーナムボックス７内の気体の吸引口であり、プリーナムボックス７の断面積を連絡口１５に近づくにつれ漸次大きくすることにより、連絡口１５に近い吸込スリットと遠い吸込スリットにおけるプリーナム速度が調整され、吸引スリット６での気体吸込速度が全体的により均一化される。プリーナム速度とは、プリーナムボックス７を断面線Ｓで切断した縦断面を流通する気体に速度である。図２では、横長のプリーナムボックス７の側面部３６側に連絡口１５があり、底部１２は最下方部に開口する連絡口１５へ漸次下降する傾斜面１７を有する。この場合、プリーナムボックス７の奥行幅（図５における左右方向の長さ）は同じであるが、高さ（図２，３おける上下方向の長さ）は連絡口１５に近づくにつれ漸次大きくなっている。しかしプリーナムボックスの高さは同じとし、その奥行幅が連絡口に近づくにつれ漸次大きくてもよい（図示せず）。いずれの場合も気体流通路を構成するプリーナムボックス７の断面積は連絡口１５に近づくにつれ漸次大きくなる。なお連絡口１５はプリーナムボックスの底部１２ではなく、背面部などの他面部に形成してもよい（図示せず）。【００１４】図２に示されるプリーナムボックス７では全体が１個の気体流通路１１を形成しているがプリーナムボックス７内に複数の気体流通路を設けることもできる。図３ではプリーナムボックス７内において吸込スリット６と連絡口１５の間に複数の分割板１８を配置し、吸込スリット６と連絡口１５を連通する複数（図示の場合は３個）の気体流通路が設けてある（なお前記プリーナムボックスと同じ構成部分は同一の符号を付して説明する）。すなわち前面部５に長辺部３の長さとほぼ同じ長さの吸込スリット６が長手方向に形成され、吸込スリット６は分割板１８で長手方向に分割（３分割）され、有害物の含有気体が複数の気体流通路１１を介して流通（分流）するとともに連結口１５部分で合流する。各気体流通路１１の吸込スリットの長さ（分割長さ）、プリーナムボックス７の高さなどを適宜に選択し、各気体流通路の吸込速度を均一化するように調整する。いいかえると吸込流量に対する各気体流通路の通気抵抗がほぼ等しくなるように調整し、吸込スリット６の吸込速度を全体としてさらに均一化することができる。【００１５】プリーナムボックス７には気体捕集板１９を配設することができる。気体捕集板１９はプリーナムボックスの上面部２０に載置されるとともに回動可能に軸着されている。図５では気体捕集板１９の基端部がプリーナムボックスの上面部２０内端にヒンジ２１で軸支されている。気体捕集板１９は軸部２１を中心に内側、つまり処置台１側へ回転し、気体捕集板１９の傾斜角度は気体捕集板１９の回転角度θにより設定され、回転角度θは角度調整手段により調整される。角度調整手段は円弧状の細長孔２３を有する円弧状の案内部２２を備え、案内部２２は一端が気体捕集板の側端２４に固定される一方、プリーナムボックスの側面部３６に螺嵌された螺子２５の軸部を介して案内部２２が回動する（矢標Ｘ参照）。すなわち細長孔２３の幅より小径の軸部を介して細長孔２３に案内される案内部２２が回動し、気体捕集板１９を所定角度に設定するとともに、案内部２２の外側へ突出する細長孔２３の幅より大径の頭部を回し、螺進する螺子２５で案内部２２をプリーナムボックスの側面部３６に固定する。また逆の操作により案内部２２の固定を解除する。気体捕集板１９の傾斜角度θは気体の捕集機能を考慮して適宜に設定されるが、プリーナムボックスの上面部２０に対して最大で約１３０度とする。【００１６】気体捕集板１９はほぼ平板であり、プリーナムボックスの上面部２０と形状、大きさがほぼ同じである。気体捕集板１９を設けることにより、処置台１上で発生する有害物の含有気体を効果的に捕集し、吸込スリット６から吸込むことができる。また気体捕集板１９は弾性素材で形成するのが好ましい。作業者の腕が気体捕集板１９に接触したような場合、気体捕集板１９が適宜に弾性変形し、そのまま所定の作業を継続することができるからである。気体捕集板１９は１枚の平板であるが、複数の短冊状部３７を並列した構造としてもよい。短冊状部３７を並列した気体捕集板１９では主に接触部分が弾性変形し、気体捕集板である気体の捕集機能が減殺されない。並列された短冊状部３７は２層構造とすることもできる。２層構造では、短冊状部３７と短冊状部３７（下層）との間隙を塞ぐように他の短冊状部３７（上層）を配置した構造が好ましい（図８参照）。この場合には並設された短冊状部３７と短冊状部３７との間隙から気体が洩れない。【００１７】またプリーナムボックス７は背面側に密着された背面部２６が開閉される。図５に示されるプリーナムボックス７では背面側を密閉する背面部２６が回動可能に軸着されている。すなわち背面部２６はプリーナムボックス７の構成部分であり、下端部がプリーナムボックス７に軸支され、ヒンジ（軸部）３８を中心とする背面部２６の回動により背面部２６が開閉し（矢標Ｙ参照）、これによりプリーナムボックス７の背面側が開閉される。閉鎖状態の背面部２６は上端部が留金具３９（いわゆるパッチン錠など）により固定される。プリーナムボックス７の内側面は吸込スリット６から吸込まれた有毒物や異物で汚染されるが、背面部２６の開閉によりプリーナムボックス７の背面側を開放し、汚染されたプリーナムボックス７内面を清掃、消毒することができる。またプリーナムボックス内に吸引されたガーゼなども容易に取り出すこともできる。下降勾配の傾斜面１７を有するプリーナムボックスの底部では清掃・消毒液などスムーズに流れ、プリーナムボックス７内面の清掃、消毒が容易となるという効果もある。【００１８】またプリーナムボックス７は高さ調整手段を備える。すなわちプリーナムボックス７は長辺部縁端上面９を基準とした上下方向の高さ調整が可能であり（図６，７参照）、処置台上での有害物の発生状態に応じ、その捕集効果をあげることができる。またプリーナ���ボックスの上面部２０を辺部縁端の上面９とほぼ同じ高さになるまでプリーナムボックス７の高さを調整すると、被剖検体Ｂなどを処置台の上面へ、又は上面から容易に移動することができ、関連作業の遂行が簡易となる。プリーナムボックス７の高さ調整手段としては、プリーナムボックス７を支持する支柱２７が脚部２８に固定された筒部２９内に摺動可能に嵌合されており、筒部２９内の支柱２７を上下方向（図４，６の上下方向）に摺動してプリーナムボックス７の高さを設定する一方、筒部２９に一定の間隔で上下方向（図４，６の上下方向）に形成された小孔３４にピン３５を挿入し、ピン３５（先端部）を脚部２８に形成された対応する穴部に係止するものである。さらに平ギア、ウオームギアの組み合わせにより、セルフロックをかけるとともに高さの微調整も可能である。【００１９】処置台１下方に有害物除去部３１を設け、プリーナムボックス７と有害物除去部３１が連結されている。すなわち前記のように、プリーナムボックス７の連絡口１５は吸引ダクト１６を介して気体集合チャンバー３０に連結され、さらに気体集合チャンバー３０が有害物除去部３１に連結されている。プリーナムボックス７から気体集合チャンバー３０を経て有害物の含有気体が有害物除去部３１に搬送され、有害物除去部３１で有害物が除去される。有害物除去部３１はフィルターを備えるなど公知の除去装置でよく、除去処理後の気体は放出口３３から室内へ放出される。連絡口１５と気体集合チャンバー３０との連結は吸引ダクト１６が介在する間接的連結であるが、前記の各構成部材間の連結には構成部材と構成部材との直接的連結と、構成部材と構成部材との間に他の部材が介在する間接的連結とを含む。なお処置台上方にフードを付設し、実習終了後など処置台上で発生する有害物の含有気体が拡散しないよう気体輸送装置３１の排気能力を適宜に調整するためインバータを用いることもできる。
【図面の簡単な説明】
【００２０】
【図１】本発明にかかる有害物の捕集・除去装置の斜視図である。
【図２】同捕集・除去装置のプリーナムボックスの正面図である。
【図３】同捕集・除去装置の他のプリーナムボックスの正面図である。
【図４】同捕集・除去装置の、主としてプリーナムボックスを示す側面図である。
【図５】同捕集・除去装置のプリーナムボックスに設けられた傾斜状態の気体捕集板を示す斜視図である。
【図６】同捕集・除去装置のプリーナムボックスの高さ調整手段を示す斜視図である。
【図７】同捕集・除去装置のプリーナムボックスの高さ調整手段（要部）を示す斜視図である。
【図８】同捕集・除去装置の層構造の気体捕集板の１部拡大斜視図である。
【図９】同捕集・除去装置の、気体捕集板を備えないプリーナムボックスの背面部を示す斜視図である。
【図１０】同捕集・除去装置の平面図である。
【符号の説明】
【００２１】    １  処置台
２  長辺部縁端
３  長辺部
４  短辺部
５  内面部
６  吸込スリット
７  プリーナムボックス
９  長辺部縁端の上面
１１気体流通路
１２底部
１５連結口
１６吸引ダクト
１７傾斜面
１８分割板
１９気体捕集板
２０プリーナムボックスの上面部
２２案内部
２６背面部
【図１】
0005110443.tif 000002
【図２】
0005110443.tif 000003
【図３】
0005110443.tif 000004
【図４】
0005110443.tif 000005
【図５】
0005110443.tif 000006
【図６】
0005110443.tif 000007
【図７】
0005110443.tif 000008
【図８】
0005110443.tif 000009
【図９】
0005110443.tif 000010
【図１０】
0005110443.tif 000011